(57)【特許請求の範囲】
【請求項１】
作業現場から排出されるダストを収集する集塵機のフイルタを交換するための方法であって、
フイルタが少なくとも２個以上入る大きさに形成された回収袋の中に、交換用の新フイルタを収納する工程と、
少なくともフイルタが１個分入る回収用のスペースを残した状態で、上記新フイルタが収納されている回収袋の部分を、当該回収用スペース部とは独立する収容スペース部に区分成形する工程と、
この区分成形され、且つ、内部に新フイルタが収容されている上記収容スペース部の入口部分を、再開封可能な結束手段を用いて仮り閉塞する工程と、
上記回収袋の口元を集塵機のフイルタ取付口に取付ける工程と、
上記フイルタ取付口を密閉する蓋体を外し、この外した蓋体を上記回収袋の中に置いた状態のまま、集塵機内の使用済みフイルタを上記フイルタ取付口より取り出して上記回収袋の上記回収用スペース部の中に回収する工程と、
上記使用済みフイルタが回収された上記回収用スペース部の入口部分を、上下長手方向に間隔をあけて２ヶ所固着又は緊縛する閉塞工程と、
これ等２ヶ所固着又は緊縛された閉塞部の中間部を切り離して、使用済みフイルタを収めた上記回収用スペース部を上記回収袋から切り離す工程と、
上記収容スペース部の入口を仮り閉塞していた結束手段を取り外して、当該収容スペース部を上記回収袋の内部に連通させる工程と、
上記新フイルタを上記収容スペース部より上記回収袋及びフイルタ取付口を通して集塵機内部に挿入して取付ける工程と、
上記回収袋内に置かれている蓋体を上記フイルタ取付口に取付けて密閉する工程とから成ることを特徴とする集塵機用フイルタ交換方法。
【請求項２】
フイルタ交換用に使用する前記回収袋として、新フイルタを収容するための前記収容スペース部と、使用済みフイルタを回収するための前記回収用スペース部とが、略二股状に分かれて形成されている回収袋が使用されることを特徴とする請求項１に記載の集塵機用フイルタ交換方法。
【請求項３】
フイルタ交換用に使用する前記回収袋として、新フイルタを収容するための前記収容スペース部と、使用済みフイルタを回収するための前記回収用スペース部とが、略逆Ｔ字状に分かれて形成されている回収袋が使用されることを特徴とする請求項１に記載の集塵機用フイルタ交換方法。
【請求項４】
フイルタ交換用に使用する前記回収袋として、新フイルタを収容するための前記収容スペース部と、使用済みフイルタを回収するための前記回収用スペース部とが、略トの字状に分かれて形成されている回収袋が使用されることを特徴とする請求項１に記載の集塵機用フイルタ交換方法。
【請求項５】
作業現場から排出されるダストを収集する集塵機のフイルタを交換するための方法であって、
フイルタが少なくとも２個以上入る大きさに形成された回収袋の中に、交換用の新フイルタを収納袋に入れ、且つ、当該収納袋の入口を再開放可能な結束手段を用いて仮り閉塞して収納する工程と、
上記回収袋の口元を集塵機のフイルタ取付口に取付ける工程と、
上記フイルタ取付口を密閉する蓋体を外し、この外した蓋体を上記回収袋の中に置いた状態のまま、集塵機内の使用済みフイルタを上記フイルタ取付口より上記回収袋の中に回収する工程と、
上記使用済みフイルタが収容された上記回収袋の部分を、上記収納袋に入った新フイルタが収められているスペース部分とは独立する回収用スペース部に区画形成する工程と、
この区分形成され、且つ、内部に使用済みフイルタが回収されている上記回収用スペース部の入口部分を、上下長手方向に間隔をあけて２ヶ所固着又は緊縛する閉塞工程と、
これ等２ヶ所固着又は緊縛された閉塞部の中間部分を切り離して、使用済みフイルタを収めた上記回収用スペース部を上記の回収袋から切り離す工程と、
上記新フイルタを収めた上記収納袋の入口を仮り閉塞している結束手段を外して、上記の収納袋を上記回収袋に連通させる工程と、
上記新フイルタを上記収納袋より取り出し、且つ、上記回収袋及び上記フイルタ取付口を通して集塵機内部に挿入して取付ける工程と、
上記回収袋内に置かれている蓋体を上記フイルタ取付口に取付けて密閉する工程とから成ることを特徴とする集塵機用フイルタ交換方法。
【発明の詳細な説明】
【技術分野】
【０００１】
本発明は、工場等の作業現場から発生するダストを収集する集塵機に実施して好適なフイルタの交換方法に関するものである。
【背景技術】
【０００２】
集塵機用フイルタの交換方法に関しては、従来より、特許文献１に記載の「密封交換型フイルタユニットにおけるフイルタ交換方法と装置」に見られるように、集塵機にフイルタ回収用のバッグ（フイルタを入れる袋）を取り付け、使用済みフイルタと遮熱板を回収してバッグの入口を切断した後に、新たなフイルタと遮熱板を入れたバッグを集塵機に取り付け、先のバッグの残部を袋の奥に回収してバッグの一部を切断することにより、新フイルタを集塵機に取付けるように構成したものが存在する。  
【０００３】
更に、特許文献２に記載の「排気装置」には、排風機の吸引側にフイルタ装置を設置し、フイルタの取付口にフイルタの収納袋を取り付けてフイルタを回収すると共に、その他の方法を上記特許文献１と同様に構成したものが記載されている。
【特許文献１】特開昭５８−４１３９６号公報
【特許文献２】実開昭６３−９４５２１号公報
【発明の開示】
【発明が解決しようとする課題】
【０００４】
ところが、上記特許文献１に記載のフイルタ交換方法と装置は、集塵機にフイルタ回収用バッグを取り付け、この回収用バッグにフイルタを回収して切り離し、廃棄した後に、新たなフイルタを入れた新たなバッグを集塵機に取り付けてフイルタの交換を行うため、フイルタの交換に当たって２度の袋（バッグ）の取り付けと、２度の切り離し作業が必要になって、交換作業の工数が掛かって煩雑化する問題があった。
【０００５】
また、上記特許文献２に記載されているフイルタ交換方法の場合も、上記特許文献１の方法と同様に、２度の収納袋の取り付けと、２度の切り離し作業を必要とするため、前項と同様の問題があった。
【０００６】
従って本発明の技術的課題は、集塵機のフイルタ交換を回収袋の集塵機への１回の取り付けと、回収袋の１度の切断作業によって、極めて簡単に、且つ、確実に行うことができるように工夫した集塵機用フイルタ交換方法を提供することである。
【課題を解決するための手段】
【０００７】
（１）  上記の技術的課題を解決するために、本発明の請求項１に係る集塵機用フイルタ交換方法は、工場等の作業現場から排出されるダストを収集する集塵機のフイルタを交換するための方法であって、フイルタが少なくとも２個以上入る大きさに形成された回収袋の中に、交換用の新フイルタを収納する工程と、少なくともフイルタが１個分入る回収用のスペースを残した状態で、上記新フイルタが収納されている回収袋の部分を、当該回収用スペース部とは独立する収容スペース部に区分成形する工程と、この区分成形され、且つ、内部に新フイルタが収容されている上記収容スペース部の入口部分を、再開封可能な結束手段を用いて仮り閉塞する工程と、上記回収袋の口元を集塵機のフイルタ取付口に取付ける工程と、上記フイルタ取付口を密閉する蓋体を外し、この外した蓋体を上記回収袋の中に置いた状態のまま、集塵機内の使用済みフイルタを上記フイルタ取付口より取り出して上記回収袋の上記回収用スペース部の中に回収する工程と、上記使用済みフイルタが回収された上記回収用スペース部の入口部分を、上下長手方向に間隔をあけて２ヶ所固着又は緊縛する閉塞工程と、これ等２ヶ所固着又は緊縛された閉塞部の中間部を切り離して、使用済みフイルタを収めた上記回収用スペース部を上記回収袋から切り離す工程と、上記収容スペース部の入口を仮り閉塞していた結束手段を取り外して、当該収容スペース部を上記回収袋の内部に連通させる工程と、上記新フイルタを上記収容スペース部より上記回収袋及びフイルタ取付口を通して集塵機内部に挿入して取付ける工程と、上記回収袋内に置かれている蓋体を上記フイルタ取付口に取付けて密閉する工程とから成ることを特徴としている。
【０００８】
（２）  また、本発明の請求項２に係る集塵機用フイルタ交換方法は、フイルタ交換用に使用する前記回収袋として、新フイルタを収容するための前記収容スペース部と、使用済みフイルタを回収するための前記回収用スペース部とが、略二股状に分かれて形成されている回収袋が使用されることを特徴としている。
【０００９】
（３）  また、本発明の請求項３に係る集塵機用フイルタ交換方法は、フイルタ交換用に使用する前記回収袋として、新フイルタを収容するための前記収容スペース部と、使用済みフイルタを回収するための前記回収用スペース部とが、略逆Ｔ字状に分かれて形成されている回収袋が使用されることを特徴としている。
【００１０】
（４）  また、本発明の請求項４に係る集塵機用フイルタ交換方法は、フイルタ交換用に使用する前記回収袋として、新フイルタを収容するための前記収容スペース部と、使用済みフイルタを回収するための前記回収用スペース部とが、略トの字状に分かれて形成されている回収袋が使用されることを特徴としている。
【００１１】
（５）  また、本発明の請求項５に係る集塵機用フイルタ交換方法は、作業現場から排出されるダストを収集する集塵機のフイルタを交換するための方法であって、フイルタが少なくとも２個以上入る程の大きさに形成された回収袋の中に、交換用の新フイルタを収納袋に入れ、且つ、当該収納袋の入口を再開放可能な結束手段を用いて仮り閉塞して収納する工程と、上記回収袋の口元を集塵機のフイルタ取付口に取付ける工程と、上記フイルタ取付口を密閉する蓋体を外し、この外した蓋体を上記回収袋の中に置いた状態のまま、集塵機内の使用済みフイルタを上記フイルタ取付口より上記回収袋の中に回収する工程と、上記使用済みフイルタが収容された上記回収袋の部分を、上記収納袋に入った新フイルタが収められているスペース部分とは独立する上記回収用スペース部に区画形成する工程と、この区分形成され、且つ、内部に使用済みフイルタが回収されている回収用スペース部の入口部分を、上下長手方向に間隔をあけて２ヶ所固着又は緊縛する閉塞工程と、これ等２ヶ所固着又は緊縛された閉塞部の中間部分を切り離して、使用済みフイルタを収めた上記回収用スペース部を上記の回収袋から切り離す工程と、上記新フイルタを収めた上記収納袋の入口を仮り閉塞している結束手段を外して、上記の収納袋を上記回収袋に連通させる工程と、上記新フイルタを上記収納袋より取り出し、且つ、上記回収袋及びフイルタ取付口を通して集塵機内部に挿入して取付ける工程と、上記回収袋内に置かれている蓋体を上記フイルタ取付口に取付けて密閉する工程とから成ることを特徴としている。
【００１２】
上記（１）で述べた請求項１に係る手段によれば、集塵機のフイルタを交換するに当たって、フイルタが２個以上入る大きさの回収袋に予め新フイルタを入れ、新フイルタが入った収容スペース部の入口部分を再開封可能な結束手段を用いて仮り閉塞して、回収袋の口元を集塵機のフイルタ取付口に取付ける。次いで、フイルタ取付口の蓋体を外して、この蓋体を回収袋内に置いた後、集塵機より使用済みフイルタを取出して上記回収袋の回収用スペース部内に回収し、この回収用スペース部の入口を２ヶ所間隔あけて閉塞して、その中間部を切り離すことにより、使用済みフイルタを廃棄処理可能とすると共に、新フイルタが入った収容スペース部の入口を開放することにより、新フイルタを使用済みフイルタに代えて集塵機に取り付けることができる。
【００１３】
その結果、フイルタの交換時に回収袋の集塵機に対する取り付けを１回で済ませることができ、回収袋の切断（切り離し）も１度で済むため、交換作業が頗る簡単になって、作業者や周辺を汚染されたダストで汚すことなく、衛生的に交換作業を行うことを可能にする。
【００１４】
上記（２）、（３）、（４）で述べた請求項２、３、４に係る手段によれば、回収袋に新フイルタを収める収容スペース部と、使用済みフイルタを回収する回収用スペース部とが、略二股状（略逆Ｙ字状）、略Ｔ字状、或いは、略トの字状に分かれて形成されているため、新旧フイルタの収納箇所が明確になって、各フイルタを正しく各スペース部内に収納したり、各入口の開閉作業を的確に行うことができるため、フイルタの交換作業を効率良く行うことを可能にする。
【００１５】
上記（５）で述べた請求項５に係る手段によれば、回収袋の中に新フイルタを収納した収納袋を入れてフイルタの交換作業を行うため、フイルタの交換作業を簡単に、且つ、素早く行うことを可能にする。
【発明の効果】
【００１６】
以上述べた次第で、本発明に係る集塵機用フイルタ交換方法によれば、作業が繁雑でダストによる空気汚染の可能性が高かった集塵機用フイルタの交換作業を、一人でも簡単に、且つ、ダストを飛散させることなく衛生的に交換できるものであって、特に、有害物質を収集したフイルタを交換する場合に、有害物質が飛散して周囲の環境を悪化させたり、作業者に付着したりする問題を解消できる利点を備えている。
【発明を実施するための最良の形態】
【００１７】
以下に、上述した本発明に係る集塵機用フイルタ交換方法の実施の形態を図面と共に説明すると、図１において符号１で全体的に示したのは本発明が実施される集塵機で、２は内部にフイルタ１１…を取付けた集塵機の機体、３はフイルタ１１…から払い落とされたダストを溜めるホッパ、４はダスト排出用の操作ハンドル、５はダストの排出口、６はこの排出口５に取付けて閉塞した後述する使用済みダスト回収袋の残部、２Ｔは集塵機１の脚部、７はマノメータを示す。
【００１８】
更に図中、９は機体２の前面に複数並設された断面略円筒状を成すフイルタ取付口、２Ｈはこれ等各取付口９より差し込まれたフイルタ１１を機体２内部に保持するフイルタ保持部、１０はフイルタ保持部２Ｈ内に保持されたフイルタ１１の口を塞ぐ蓋体で、１０Ｒは蓋体１０の開閉用ハンドルを示す。また、８は各フイルタ取付口９毎に設けられたフックで、後述するフイルタ交換用補助具は、このフック８を用いて各フイルタ取付口９の前面部に対して取付け自在に構成されている。
【００１９】
図２は、上記フイルタ交換用補助具２０の一例を示した平面図、図３は当該補助具２０を前記フック８を用いてフイルタ取付口９の前面部分に取付けた状態を示した平面図、図４は上記補助具２０の側面図、図５はその正面図であって、補助具２０の全体は金属製或いは強化プラスチック製の杆材又はパイプを屈曲加工したり、溶接又は溶着加工することによって構成されている。
【００２０】
上記フイルタ交換用補助具２０は、上記図２乃至図５に示すように、集塵機１のフイルタ取付口９の前面部付近に補助具２０の全体を取り外し自在に装着することができる装着部２１と、フイルタの交換時に前記フイルタ取付口９から取り外した蓋体１０を載置する蓋体配置部２３と、新旧２個（２本）のフイルタを並列状態に搭載可能（載置可能）に構成したフイルタ載置スペース部２４とによって構成されている。
【００２１】
更に図中、２２は装着部２１を構成する前記フック８に懸掛け自在な装着杆、２１Ａはこの装着杆２２に連設した立ち上がり杆、２１Ｔは前記蓋体配置部２３を構成する載置杆、２４Ａと２４Ｂは前記フイルタ搭載スペース部２４を構成する取付け載置部と予備載置部で、２４Ｘと２４Ｙはこれ等両載置部２４Ａ，２４Ｂを構成するフイルタ支持杆であって、前記フイルタ取付口９の延長線上に設けた取付け載置部２４Ａは、フイルタ交換時に上記フイルタ取付口９から取出した使用済みフイルタ１１’（図７乃至図９参照）の載置台として使用し、予備載置部２４Ｂは交換する新フイルタ１２（図６、図７、図９参照）の載置台として使用する仕組みに成っている。
【００２２】
尚、２４Ｚは上記両載置部２４Ａ，２４Ｂに載置した各フイルタ１１’、１２の脱落防止杆であり、また、図３においてＰＯは、上記フイルタ取付口９を塞ぐようにゴムリング１３と締付けバンド１４を用いて取付けられている後述する使用済み回収袋の残部で、ＳＡはその入口を固着又は緊縛した閉塞部であって、この回収袋の残部ＰＯは、前回のフイルタ交換時に使用した回収袋ＰＮ（図６乃至図１５参照）の残りを再利用して造ったものである。
【００２３】
次に、本発明に係る集塵機用フイルタ交換方法とフイルタ交換用補助具２０を用いて、新旧のフイルタ１２、１１’を交換する手順を図６乃至図１１の記載に基づいて説明する。
【００２４】
図６は、フイルタ交換の第１工程を示したもので、図中、ＰＮは新旧のフイルタ１２、１１’（図７参照）を少なくとも２個（２本）以上入る程の大きさに形成したビニール製の回収袋で、この回収袋ＰＮの内部には、少なくとも使用済みのフイルタ１１’が１個分入る回収用スペース部Ｐ１を残した状態で、交換用の新フイルタ１２が収容され、且つ、この収容された新フイルタ１２が、前記フック８を用いてフイルタ取付口９の前面部に取付けられたフイルタ交換用補助具２０の予備載置部２４Ｂに載置される仕組みに成っている。
【００２５】
また、図中Ｐ２は上記の新フイルタ１２が収納された回収袋ＰＮの収容スペース部で、この収容スペース部Ｐ２は、新フイルタ１２を収容した後に、その入口を再開封可能な結束具ＳＴで仮り閉塞することにより、上記回収用スペース部Ｐ１とは区分けされた状態（区画された状態）に構成される。
【００２６】
その後、第２工程に進んで、図７に示すように、前記締付けバンド１４を外し、次いで、上記回収袋ＰＮの口元ＰＸを新しいゴムリング１３と上記の締付けバンド１４を用いてフイルタ取付口９に装着した後、使用を終えたゴムリング１３と、今迄フイルタ取付口９を塞いでいた使用済み回収袋の残部ＰＯを、上記回収袋ＰＮの回収用スペース部Ｐ１内に落とし込むと共に、ハンドル１０Ｒを操作してフイルタ取付口９の内部入口（具体的にはフイルタの口）を閉塞していた蓋体１０を外し、この取り外した蓋体１０を回収袋ＰＮの中に入れた状態のまま、前記補助具２０の配置部２３上に載置した後、交換する使用済みフイルタ１１’を回収袋ＰＮの回収用スペース部Ｐ１内に取り出して、補助具２０の取付け載置台２４Ａ上に載置する。
【００２７】
図８は、上記図７で説明した第２工程の状態を側面から見たものであって、図中、ＰＶは上記補助具２０の配置部２３に載置した蓋体１０のハンドル１０Ｒを包むように屈曲することにより、回収袋ＰＮの破損を防止する前記回収袋ＰＮの屈曲部を示す。
【００２８】
次に、図９及び図１０は第３工程を示したもので、上記使用済みフイルタ１１’を収容した前記回収用スペース部Ｐ１の入口部分を、長手方向に間隔をあけて２箇所固着又は緊縛によって閉塞して閉塞部ＳＡ，ＳＡと成し、その後、これ等２箇所の閉塞部ＳＡ，ＳＡの中間部を切り離すことにより、使用済みフイルタ１１’をフイルタ取付口９を塞いでいた前記回収袋の残部ＰＯと一緒に、回収袋ＰＮの回収用スペース部Ｐ１内に密閉状態に収容すると共に、これを補助具２０の取付け載置台２４Ａから下に降ろすことにより、ダストを周囲に飛散させることなく廃棄処理することを可能にする。
【００２９】
その後、最終工程に進んで、前記回収袋ＰＮの収容スペース部Ｐ２内に収容されている新フイルタ１２を、そのまま補助具２０の取付け載置台２４Ａに移し替えると共に、上記新フイルタ１２を収めた収容スペース部Ｐ２の入口を仮り閉塞していた結束具ＳＴを取り外して開口した後、図１１に示すように新フイルタ１２を開口された回収袋ＰＮの中を通してフイルタ取付口９より集塵機１内のフイルタ保持部２Ｈ内に嵌め込み、次いで、蓋体１０をフイルタ取付口９に取付け、更に、使用済みとなった上記回収袋ＰＮの上端部側を束ねてこれを閉塞部ＳＡと成した後、図３に示すように当該閉塞部ＳＡの下側部側の回収袋ＰＮを切り離し（この時点で残部ＰＯと成る）、最後に補助具２０を取り外すことによって交換作業が終了する。
【００３０】
尚、上記のフイルタ交換用補助具２０は、図３に示すように左右２本（３本以上の複数本の場合もある）のフイルタ１１，１１の交換が可能なように、その横幅が広く形成されているため、例えば図面上左側のフイルタ１１の交換が済んだら、引き続き、同様に右側のフイルタ１１の交換を可能にする。また、この右側のフイルタ１１の交換に際しては、上記補助具２０のフイルタ搭載スペース部２４を構成する取付け載置部２４Ａと予備載置部２４Ｂが、左右反対になることは勿論であって、そのために両載置部２４Ａと２４Ｂは同一形状に作られている。
【００３１】
図１２は、請求項５に記載のフイルタ交換方法を説明したものであって、この交換方法によれば、大きさＨが、フィルタが少なくとも２個、又は、２個以上入る程の大きさに形成された回収袋ＰＮを使用して、以下の工程を行うことによって新旧のフイルタ１２と１１’を交換することができる。
【００３２】
即ち、上記回収袋ＰＨの中に、交換用の新フイルタ１２を収納袋ＰＣに入れ、且つ、収納袋ＰＣの入口を再開放可能な結束具ＰＤを用いて仮り閉塞して収納する工程と、上記回収袋ＰＨの口元ＰＥを前記集塵機１のフイルタ取付口９にゴムリング１３と締付けバンド１４を用いて取付ける工程と、上記フイルタ取付口９を密閉する蓋体１０を外し、この外した蓋体１０を上記回収袋ＰＨの中に置いた状態のまま、集塵機１内の使用済みフイルタ１１’を上記フイルタ取付口９より上記回収袋ＰＨの中に回収する工程と、使用済みフイルタ１１’が収容された上記回収袋ＰＨのスペース部分を、上記収納袋ＰＣに入った新フイルタ１２が収められているスペース部分Ｐ２とは独立する回収用スペース部Ｐ１に区画形成する工程と、この区分形成され、且つ、内部に使用済みフイルタ１１’が回収されている回収用スペース部Ｐ２の入口部分を、上下長手方向に間隔をあけて２ヶ所固着又は緊縛する閉塞工程と、これ等２ヶ所固着又は緊縛された閉塞部の中間部分を切り離して、使用済みフイルタ１１’を収めた回収用スペース部Ｐ１を上記の回収袋ＰＨから切り離して、廃棄可能にする工程と、上記新フイルタ１２を収めた収納袋ＰＣの入口を仮り閉塞している結束具ＰＤを外して、収納袋ＰＣを上記回収袋ＰＨに連通させる工程と、上記新フイルタ１２を収納袋ＰＣより上記回収袋ＰＨ及びフイルタ取付口９を通して集塵機１の内部に挿入して、フイルタ保持部２Ｈに取付ける工程と、上記回収袋ＰＨ内に置かれている蓋体１０を上記フイルタ取付口９に取付けて密閉する工程とを行うことにより、新旧のフイルタ１２，１１’を交換することができる。
【００３３】
次に、フイルタ交換を容易に行うために開発された前記回収袋ＰＮの実施例を、図１３乃至図１５の記載に基づいて説明する。
即ち、図１３は前記請求項２に記載された略二股状に分かれた回収袋ＰＮの実施例を示したものであって、この実施例では、使用済みフイルタ１１’が収容される回収用スペース部Ｐ１と、新フイルタ１２が収容される収容スペース部Ｐ２とが、略二股状（略八の字状又は略逆Ｙ字状）に形成されていて、前述したフイルタの交換作業を容易に行うことを可能にしている。尚、図中ＰＬは収容スペース部２の入口を再開封可能な結束具ＳＴ（図６参照）で仮り閉塞する箇所を示す。
【００３４】
また、図１４は前記請求項３に記載した全体が略逆Ｔ字状に形成された回収袋ＰＮの実施例を示し、更に、図１５は前記請求項４に記載した全体が略トの字状に形成された回収袋ＰＮの実施例を示したものであって、いずれも新旧のフイルタ１２と１１’の交換を容易に、且つ、確実に行うことを可能にしている。
【図面の簡単な説明】
【００３５】
【図１】本発明に係る集塵機のフイルタ交換方法が実施される集塵機の一例を示した側面図。
【図２】本発明で使用されるフイルタ交換用補助具の平面図。
【図３】図２に示した補助具の集塵機への取付状態を説明した平面図。
【図４】図２に示した補助具の側面図。
【図５】図２に示した補助具の正面図。
【図６】フイルタ交換の第１工程を説明した平面図。
【図７】フイルタ交換の第２工程を説明した平面図。
【図８】フイルタ交換の第２工程を説明した側面図。
【図９】フイルタ交換の第３工程を説明した平面図。
【図１０】フイルタ交換の第４工程を説明した平面図。
【図１１】フイルタ交換の最終工程を説明した平面図。
【図１２】請求項５に記載した本発明の実施例を説明した説明図。
【図１３】請求項２に記載した略二股状に形成された回収袋の実施例を示した平面図。
【図１４】請求項３に記載した略逆Ｔ字状に形成された回収袋の実施例を示した平面図。
【図１５】請求項４に記載した略トの字状に形成された回収袋の実施例を示した平面図。
【符号の説明】
【００３６】
１            集塵機
８            フック
９            フイルタ取付口
１０          蓋体
１０Ｒ        ハンドル
１１          使用中のフイルタ
１１’        使用済みフイルタ
１２          新フイルタ
１３          ゴムリング
１４          締付けバンド
ＰＮ・ＰＨ    回収袋
Ｐ１          回収用スペース部
Ｐ２          収容スペース部
ＰＸ          回収袋の口元
ＳＴ          再開封可能な結束具
ＳＡ・ＳＡ    閉塞部
ＰＯ          回収袋の残部
【図１】
0004686326.tif 000002
【図２】
0004686326.tif 000003
【図３】
0004686326.tif 000004
【図４】
0004686326.tif 000005
【図５】
0004686326.tif 000006
【図６】
0004686326.tif 000007
【図７】
0004686326.tif 000008
【図８】
0004686326.tif 000009
【図９】
0004686326.tif 000010
【図１０】
0004686326.tif 000011
【図１１】
0004686326.tif 000012
【図１２】
0004686326.tif 000013
【図１３】
0004686326.tif 000014
【図１４】
0004686326.tif 000015
【図１５】
0004686326.tif 000016